(57)【要約】  【課題】両面に任意の印刷又は筆記による表示をなしたラミネートカードを簡易に作成することが可能なラミネート用紙を提供する。  【解決手段】ラミネート用紙Ｐａを、透光性フィルムＦａとラベル紙Ｌａとをそれらの粘着剤層Ｆａｘ，Ｌａｘを有する側の面を対向させ、両者の間に剥離紙Ｈａを介在させた三層構造をなすものとして、ラベル紙Ｌａへの所要事項の印刷又は記入後に、ラベル紙Ｌａ、剥離紙Ｈａに形成した各一対のラベル区分Ｌａ１，Ｌａ２、剥離区分Ｈａ１，Ｈａ２を一旦離脱させて裏返し、その離脱させた跡である開口部Ｌａｓに嵌め戻し、それらをフィルムＦａに形成した一対のフィルム区分Ｆａ１，Ｆａ２と共にラミネート用紙Ｐａから離脱させて、重ね合わせたラベル区分Ｌａ１，Ｌａ２の各記入面Ｌａｚを各ラベル区分Ｆａ１，Ｆａ２で覆った形態の両面表示ラミネートカードＣａを形成し得るように構成した。【選択図】図２
2006076152.tif 000002
【特許請求の範囲】
【請求項１】
一方の面に第一粘着剤層を形成した透光性を有するフィルムと、一方の面を印刷又は筆記が可能な記入面として他方の面に第二粘着剤層を形成したラベル紙と、これらフィルムとラベル紙との間に介在して前記第二粘着剤層よりも第一粘着剤層に対して優先的に剥離し得る剥離紙とを、三層に重層してなるものであって、
前記フィルムに形成された抜き加工用の第一輪郭線により包囲されるフィルム上の領域に互いに略等しい平面寸法を有する第一フィルム区分及び第二フィルム区分と設定し、前記ラベル紙と前記剥離紙とに形成される共通の抜き加工用の第二輪郭線により包囲されるラベル紙及び剥離紙上の領域に互いに略等しい平面寸法を有する第一ラベル区分及び第二ラベル区分並びに第一剥離区分及び第二剥離区分と設定し、少なくとも前記第一フィルム区分と重合する範囲内に前記第一ラベル区分及び第一剥離区分を位置付けてあり、
前記第一輪郭線に沿ってフィルムから分離させた第一フィルム区分及び第二フィルム区分と、前記第二輪郭線に沿ってラベル紙及び剥離紙から分離させた第一ラベル区分及び第二ラベル区分並びに第一剥離区分及び第二剥離区分を利用して、前記記入面をそれぞれ外側に向けた状態で重ね合わせた第一ラベル区分及び第二ラベル区分を第一フィルム区分及び第二フィルム区分により外側から挟み込み、第一フィルム区分と第二フィルム区分の第一粘着剤層同士を貼り合わせ、若しくは第一剥離区分及び第二剥離区分を剥離した後の第一ラベル区分と第二ラベル区分の第二粘着剤層同士を貼り合わせ、又は前記第一粘着剤層同士及び第二粘着剤層同士を共に貼り合わせることによって、両面表示ラミネートカードを作成するに際して、前記記入面に印刷又は筆記された第一ラベル区分及び第二ラベル区分を、第一剥離区分及び第二剥離区分と共に前記第二輪郭線に沿って一旦離脱させた後、当該離脱後の第二輪郭線によりラベル紙及び剥離紙に形成される開口部に前記記入面が前記フィルムと対面する裏返し姿勢で嵌め込んで第一粘着剤層に貼着させ得るように構成していることを特徴とするラミネート用紙。
【請求項２】
離脱前の状態にある前記第一ラベル区分及び第一剥離区分を、前記第一フィルム区分の領域内に設定している請求項１記載のラミネート用紙。
【請求項３】
前記第一フィルム区分の平面視寸法が、前記第一ラベル区分及び第一剥離区分の平面視寸法よりも大きいものであり、該第一ラベル区分及び第一剥離区分をそれらの周囲に第一フィルム区分による余剰部分を存在させる位置に配置している請求項２記載のラミネート用紙。（全周、一部除く含む）
【請求項４】
前記第一フィルム区分と第二フィルム区分とを単一の第一輪郭線により包囲される領域に、境界線となる第一折り曲げ線を挟んで一体に形成している請求項３記載のラミネート用紙。
【請求項５】
前記第一ラベル区分と第二ラベル区分、及び前記第一剥離区分と第二剥離区分とを単一の第二輪郭線により包囲される領域に、境界線となる第二折り曲げ線を挟んでそれぞれ一体に形成している請求項４記載のラミネート用紙。
【請求項６】
前記第一折り曲げ線と前記第二折り曲げ線とを、重層方向において同一直線状に位置付け、離脱前の状態における前記第二ラベル区分及び第二剥離区分をも、前記第二フィルム区分の領域内に設定している請求項５記載のラミネート用紙。
【請求項７】
前記第一折り曲げ線と前記第二折り曲げ線とを、面方向に偏位させて平面視平行をなすように位置付け、離脱前の状態における前記第二ラベル区分及び第二剥離区分を、前記第一フィルム区分と第二フィルム区分に跨るように配置している請求項５記載のラミネート用紙。
【請求項８】
前記第一ラベル区分及び第一剥離区分と前記第二ラベル区分及び第二剥離区分とを、それぞれ個別の第二輪郭線により包囲される領域に所定距離離間させて形成し、離脱前の状態にある前記第二ラベル区分及び第二剥離区分をも、前記第二フィルム区分の領域内に設定している請求項４記載のラミネート用紙。
【請求項９】
前記第一ラベル区分と第二ラベル区分、及び前記第一剥離区分と第二剥離区分とを単一の第二輪郭線により包囲される領域に、境界線となる第二折り曲げ線を挟んでそれぞれ一体に形成し、前記第一折り曲げ線と前記第二折り曲げ線とを、面方向に略直交するように位置付けている請求項４記載のラミネート用紙。
【請求項１０】
それぞれ単一の第一輪郭線に包囲された一体をなす前記第一フィルム区分及び第二フィルム区分の組を一対にして並列させて形成し、この並列方向と直交する方向に、それぞれ単一の第二輪郭線により包囲された一体をなす前記第一ラベル区分及び第二ラベル区分と一体をなす前記第一剥離区分と第二剥離区分の組を一対にして並列させて形成し、各第一ラベル区分及び第一剥離区分を対応する各第一フィルム区分の領域内に配置している請求項４記載のラミネート用紙。
【請求項１１】
前記各第二ラベル区分及び第二剥離区分を、それらと一体をなす第一ラベル区分及び第二剥離区分が配置された第一フィルム区分と並列する他方の第二フィルム区分とに跨って配置している請求項１０記載のラミネート用紙。
【請求項１２】
並列配置された一対の前記第一フィルム区分及び第二フィルム区分の組同士を、所定距離離間させている請求項１１記載のラミネート用紙。
【請求項１３】
並列配置された一対の前記第一フィルム区分及び第二フィルム区分の組同士を、対応する各第一輪郭線が隣接位置において共通部分を有するように配置している請求項１１記載のラミネート用紙。
【請求項１４】
前記第一フィルム区分と前記第二フィルム区分とを、それぞれ個別の第一輪郭線により包囲される領域に所定距離離間させて形成している請求項３記載のラミネート用紙。
【請求項１５】
前記第一ラベル区分及び第一剥離区分と前記第二ラベル区分及び第二剥離区分とを、それぞれ個別の第二輪郭線により包囲される領域に所定距離離間させて形成し、前記第一ラベル区分及び第一剥離区分を前記第一フィルム区分の領域内に設定するとともに、前記第二ラベル区分及び第二剥離区分を前記第二フィルム区分の領域内に設定している請求項１４記載のラミネート用紙。
【請求項１６】
前記第一ラベル区分と第二ラベル区分、及び前記第一剥離区分と第二剥離区分とを単一の第二輪郭線により包囲される領域に、境界線となる第二折り曲げ線を挟んでそれぞれ一体に形成し、前記第一ラベル区分と第一剥離区分と前記第二折り曲げ線とを前記第一フィルム区分の領域内に設定するとともに、前記第二ラベル区分及び第二剥離区分を、前記第一フィルム区分と第二フィルム区分とに跨って配置している請求項１４記載のラミネート用紙。
【請求項１７】
前記第一フィルム区分の平面視寸法が、前記第一ラベル区分及び第一剥離区分の平面視寸法と略同一であり、第一フィルム区分と第一ラベル区分と第一剥離区分、及び第二フィルム区分と第二ラベル区分と第二剥離区分を、それぞれ同一箇所に重合させている請求項２記載のラミネート用紙。
【請求項１８】
第一フィルム区分、第一ラベル区分及び第一剥離区分の組と、第二フィルム区分、第二ラベル区分及び第二剥離区分の組とを、所定距離離間させて配置している請求項１７記載のラミネート用紙。
【請求項１９】
第一フィルム区分、第一ラベル区分及び第一剥離区分の組と、第二フィルム区分、第二ラベル区分及び第二剥離区分の組とを相互に接触させて隣接配置している請求項１７記載のラミネート用紙。
【請求項２０】
前記第一フィルム区分と第二フィルム区分とを単一の第一輪郭線により包囲される領域に、境界線となる第一折り曲げ線を挟んで一体に形成するとともに、前記第一ラベル区分と第二ラベル区分、及び前記第一剥離区分と第二剥離区分とを単一の第二輪郭線により包囲される領域に、境界線となる第二折り曲げ線を挟んでそれぞれ一体に形成している請求項１９記載のラミネート用紙。
【発明の詳細な説明】
【技術分野】
【０００１】
本発明は、両面に所要事項を表示し得るラミネートカードを作成するために用いられるラミネート用紙に関するものである。
【背景技術】
【０００２】
従来、ラミネート処理が施されたＩＤカードやＰＯＰカード、値札等のラミネートカードが様々な場面で使用されている。このようなラミネートカードは一般に、所要の事項が印刷又は筆記された用紙を透明な樹脂フィルムで覆ったうえでそれらを密着させた構造を有しており、構造の簡素さと簡易プリンタ等を用いて簡単に作成することができることから、中小規模オフィス、小売店、家庭等で使用するのに適したものとして重宝されている。斯かるラミネートカードは、内側に印刷済又は筆記済の紙片を挟んだフィルムの周縁部をシーラーにより熱圧着する方法により作成されるのが通例である。しかしながら、シーラーを必要とせずに更に簡易にラミネートカードを作成するために、接着剤が塗布された粘着剤層を内面側に設けたフィルムと当該粘着剤層に接着された印刷又は筆記用のラベル紙とを二層に重層してなるラミネート用紙を用いる方法が考えられている（例えば、特許文献１参照）。このラミネート用紙には、ラベル紙側においては所定サイズの矩形状をなす個別の切り抜き線により囲まれた一対のラベル区分が形成され、フィルム側においてはそれらラベル区分と重合し且つ各ラベル区分よりも一回り大きいサイズの矩形状をなす一対のフィルム要素が連続する単一の切り抜き繊維より囲まれたフィルム区分が形成されている。すなわちフィルム区分は、折り曲げ線を挟んで対称な一対のフィルム要素から構成されている。そして、両方のラベル区分への所要事項の印刷後、フィルム区分と一方のみのラベル区分とを一緒に抜き出して、ラベル区分を貼付していない側のフィルム要素を反対側のフィルム要素側へ折り返し、両フィルム要素の粘着剤層同士を貼り合わせてラベル区分の印刷面を覆うことによって、ラミネートカードが作成される。なお、ラベル紙に残されたラベル区分は、管理用等として使用されることになり、このラベル区分を利用して別途にラミネートカードが作成されることはない。
【特許文献１】特許第２７３７８３４号公報
【発明の開示】
【発明が解決しようとする課題】
【０００３】
ところが、上述した特許文献１に記載のラミネート用紙では、ラベル紙に対してユーザが任意に印刷又は筆記等による記入を行うことができるのは、当該ラベル紙の一方の面に限られる。すなわちこのラベル紙から後で抜き出されるラベル区分において記入される側の面をオモテ面とした場合、ウラ面は当初からフィルムの粘着剤層に貼着された状態にあり、そのままの状態でラミネート用紙から抜き出して記入面を他方のフィルム要素で覆ってラミネートカードを作成するという構造から、必然的にウラ面は白紙となるのが通例である。勿論、このウラ面に予め何らかの事項が印刷されていれば作成されるラミネートカードにおいてラベル区分の両面に表示をなすことは可能である。しかしながらこのようにした場合には、ウラ面をユーザ自身で任意にデザインしたり、個別のカードにおけるウラ面にそれぞれ異なる事項を記入したりすることは、実質的に困難である。
【０００４】
そこで本発明は、以上のような問題に鑑みて、両面に任意の印刷又は筆記による表示をなしたラミネートカードを簡易に作成することが可能なラミネート用紙を提供しようとするものである。
【課題を解決するための手段】
【０００５】
すなわち、本発明のラミネート用紙は、一方の面に第一粘着剤層を形成した透光性を有するフィルムと、一方の面を印刷又は筆記が可能な記入面として他方の面に第二粘着剤層を形成したラベル紙と、これらフィルムとラベル紙との間に介在して第二粘着剤層よりも第一粘着剤層に対して優先的に剥離し得る剥離紙とを、三層に重層してなるものであり、フィルムに形成された抜き加工用の第一輪郭線により包囲されるフィルム上の領域に互いに略等しい平面寸法を有する第一フィルム区分及び第二フィルム区分と設定し、ラベル紙と剥離紙とに形成される共通の抜き加工用の第二輪郭線により包囲されるラベル紙及び剥離紙上の領域に互いに略等しい平面寸法を有する第一ラベル区分及び第二ラベル区分並びに第一剥離区分及び第二剥離区分と設定し、少なくとも第一フィルム区分と重合する範囲内に第一ラベル区分及び第一剥離区分を位置付け、第一輪郭線に沿ってフィルムから分離させた第一フィルム区分及び第二フィルム区分と、第二輪郭線に沿ってラベル紙及び剥離紙から分離させた第一ラベル区分及び第二ラベル区分並びに第一剥離区分及び第二剥離区分を利用して、記入面をそれぞれ外側に向けた状態で重ね合わせた第一ラベル区分及び第二ラベル区分を第一フィルム区分及び第二フィルム区分により外側から挟み込み、第一フィルム区分と第二フィルム区分の第一粘着剤層同士を貼り合わせ、若しくは第一剥離区分及び第二剥離区分を剥離した後の第一ラベル区分と第二ラベル区分の第二粘着剤層同士を貼り合わせ、又は第一粘着剤層同士及び第二粘着剤層同士を共に貼り合わせることによって、両面表示ラミネートカードを作成するに際して、記入面に印刷又は筆記された第一ラベル区分及び第二ラベル区分を、第一剥離区分及び第二剥離区分と共に前記第二輪郭線に沿って一旦離脱させた後、当該離脱後の第二輪郭線によりラベル紙及び剥離紙に形成される開口部に記入面がフィルムと対面する裏返し姿勢で嵌め込んで第一粘着剤層に貼着させ得るように構成していることを特徴としている。
【０００６】
なお、剥離紙をラベル紙の第二粘着剤層よりもフィルムの第一粘着剤層に対して優先的に剥離し得るものとするには、フィルム側を向く面に第二粘着剤層との貼着状態よりも弱く前記第一粘着剤層と接する剥離処理層を形成しておくとよい。斯かる剥離処理層は、剥離紙を構成する紙の一方の面に対する一般的な剥離処理として、シリコン樹脂被覆、フッ素樹脂被覆、アミンベースの剥離剤被覆等の被覆加工を施した態様や、表面のエンボス加工、ブラフト加工、被覆剤への微粒子添加加工等の態様を採用することができる。また、第一及び第二ラベル区分、第一及び第二剥離区分、第一及び第二フィルム区分がそれぞれ略等しい平面寸法を有しており、ラベル区分と剥離区分の平面視寸法が略等しいことを除いて、これらの具体的な大きさや形状は特に制限されるものではない。また、第一輪郭線、第二輪郭線は、それらの一部がフィルム、ラベル紙、剥離紙の外形線と共通するものであってもよい。
【０００７】
このようなラミネート用紙を用いてラミネートカードを作成する場合、まずラベル紙に形成された第一ラベル区分及び第二ラベル区分の記入面に、一般的な業務用又は家庭用のプリンタを用いて所要事項を印刷するか、或いは手書きによって所要事項を記入する。なお必要によっては、第一ラベル区分又は第二ラベル区分の何れか一方を白紙のままとしておいてもよいし、両面が白紙のラミネートカードを作成する場合には記入面への印刷又は筆記は不要である。次に、これら各ラベル区分を各剥離区分と共に第二輪郭線に沿ってラベル紙及び剥離紙から剥がす。そして、少なくとも一方のラベル区分（ここでは第一ラベル区分）を記入面がフィルムと対面するように剥離区分（同、第一剥離区分）と共に裏返して、ラベル区分及び剥離区分を離脱させた後に形成された開口部に嵌め込む。このように第一ラベル区分及び第一剥離区分を裏返しにして嵌め込む対象となる開口部は、当該第一ラベル区分及び第一剥離区分を剥がすことによって形成された開口部を選択してもよいし、第二ラベル区分及び第二剥離区分を剥がすことによって形成された開口部を選択してもよい。いずれにしても、開口部にはフィルムにおける第一粘着剤層が表出しているので、第一ラベル区分の記入面は開口部内において第一粘着剤層を介してフィルムに貼着されることになる。この状態で第一剥離区分を第一ラベル区分から剥がしてもよい。さらに、第二ラベル区分及び第二剥離区分も同様にして、他方の開口部へ裏返しにして嵌め込んでもよい。またその代わりに、第二ラベル区分を裏返すことなく、第一ラベル区分に重ね合わせても構わないが、その場合、第一剥離区分及び第二剥離区分をそれぞれ第一ラベル区分及び第二ラベル区分から剥がして、両ラベル区分の第二粘着剤層同士を貼り合わせてもよいし、両剥離区分を剥がすことなくそれらの剥離処理層同士が対面するように、第二ラベル区分及び第二剥離区分を第一ラベル区分及び第一剥離区分に重ね合わせることもできるが、これらの場合の重ね合わせ工程又は貼り合わせ工程は、次のフィルム区分を離脱させる工程の後に行うことも可能である。そして次に、第一フィルム区分及び第二フィルム区分を、少なくとも第一ラベル区分と共にラミネート用紙から離脱させる。最後に、各剥離区分を各ラベル区分から剥がしている場合には、第二粘着剤層同士の接着により第一ラベル区分と第二ラベル区分とを貼り合わせた状態で重ね合わせにすることで、或いはさらに各ラベル区分よりも各フィルム区分が大きければ第一粘着剤層同士の接着により第一フィルム区分と第二フィルム区分とを部分的に貼り合わせた状態で重ね合わせにすることで、第一ラベル区分と第二ラベル区分の両方の記入面をフィルム区分でラミネートしたラミネートカードが完成し、各ラベル区分よりも各フィルム区分が大きい場合であって且つ各剥離区分を各ラベル区分から剥がさない場合には、第一粘着剤層同士の接着により第一フィルム区分と第二フィルム区分とを部分的に貼り合わせた状態でそれらの間に両ラベル区分及び両剥離区分を挟み込んで全てを重ね合わせにすることで、第一ラベル区分と第二ラベル区分の両方の記入面をフィルム区分でラミネートしたラミネートカードが完成する。
【０００８】
以上のように、本発明のラミネート用紙を使用すれば、このラミネート用紙１枚から両面に表示をなしたラミネートカードを簡易に作成することが可能となる。また、両面の表示は、業務用又は家庭用のプリンタを用いて、或いは手書きによる筆記によって行うことができる。従って本発明は、多額の費用を掛け難い中小規模のオフィスや店舗、家庭等におけるＩＤカードやＰＯＰカード等のラミネートカードの作成に非常に適したものであるといえる。
【０００９】
このような本発明のラミネート用紙において、離脱前の状態にある第一ラベル区分及び第一剥離区分を、第一フィルム区分の領域内に設定すれば、ラミネートカードの作成時においてフィルム区分をフィルムから抜き出す際に、フィルム側から少なくとも第一フィルム区分を第一ラベル区分と一体に離脱させることが可能となる。
【００１０】
さらに第一フィルム区分の平面視寸法を、第一ラベル区分及び第一剥離区分の平面視寸法よりも大きいものとして、第一ラベル区分及び第一剥離区分をそれらの周囲に第一フィルム区分による余剰部分を存在させる位置に配置した場合には、ラミネートカードの作成時において剥離区分をラベル区分から剥がすか否かは問わず、その余剰部分において両フィルム区分の第一粘着剤層同士を貼り合わせたラミネートカードが得られる。なお、当該余剰部分は第一ラベル及び第二ラベル区分の周囲における全周であってもよいし、部分的であってもよい。特に部分的に余剰部分が形成される場合には、両ラベル区分の第二粘着剤層同士を貼り合わせてラミネートカードを作成することが望ましい。
【００１１】
斯かる条件の下、フィルムに第一フィルム区分及び第二フィルム区分をスペース効率よく配置し、両フィルム区分を一体に取り扱い得るようにするには、第一フィルム区分と第二フィルム区分とを単一の第一輪郭線により包囲される領域に、境界線となる第一折り曲げ線を挟んで一体に形成することが好ましい。
【００１２】
この場合、第一ラベル区分と第二ラベル区分、及び第一剥離区分と第二剥離区分とを単一の第二輪郭線により包囲される領域に、境界線となる第二折り曲げ線を挟んでそれぞれ一体に形成すれば、ラベル紙における第一ラベル区分及び第二ラベル区分、剥離紙における第一剥離区分及び第二剥離区分をもスペース効率よく配置できることになる。
【００１３】
さらにこの場合には、第一折り曲げ線と第二折り曲げ線とを、重層方向において同一直線状に位置付けて、離脱前の状態における第二ラベル区分及び第二剥離区分をも、第二フィルム区分の領域内に設定することで、一動作で第二ラベル区分を第一ラベル区分に重ねるとともに第二フィルム区分を第一フィルム区分に重ねることが可能となる。このようにして作成されたラミネートカードでは、少なくとも一縁部において第一折り曲げ線と第二折り曲げ線とが重なり合った状態となる。
【００１４】
これに対して、第一折り曲げ線と第二折り曲げ線とを、面方向に偏位させて平面視平行をなすように位置付けて、離脱前の状態における第二ラベル区分及び第二剥離区分を、第一フィルム区分と第二フィルム区分に跨るように配置することも可能である。このようにして作成されたラミネートカードでは、重ね合わせた第一ラベル区分及び第二ラベル区分の周囲における全域に、第一フィルム区分及び第二フィルム区分による余剰部分を形成することができる。なお、この態様のラミネート用紙においては、第一ラベル区分及び第一剥離区分と第二ラベル区分及び第二剥離区分を一体にして一旦剥がし裏返しにした状態で、連続する二つの開口部（明瞭に区画されているとは限らない）の一方へ一方のラベル区分を嵌め込み、他方のラベル区分を第二折り曲げ線に沿って折り曲げて両ラベル区分同士を重ね合わせ、これらを第一フィルム区分及び第二フィルム区分と一体にラミネート用紙から離脱させることができるので、ラミネートカードの作成工程をさらに簡易なものとすることができる。
【００１５】
また、第一フィルム区分と第二フィルム区分とを単一の第一輪郭線により包囲される領域に、境界線となる第一折り曲げ線を挟んで一体に形成するという条件の下では、第一ラベル区分及び第一剥離区分と第二ラベル区分及び第二剥離区分とを、それぞれ個別の第二輪郭線により包囲される領域に所定距離離間させて形成し、離脱前の状態にある第二ラベル区分及び第二剥離区分をも、第二フィルム区分の領域内に設定することも可能である。この場合には第二ラベル区分と第二剥離区分とを裏返しにして開口部に嵌め込むことができ、第一フィルム区分及び第二フィルム区分を離脱させる際にはそれらに第一ラベル区分と第二ラベル区分の両方を貼り付けた状態で取り扱うことができる。
【００１６】
また、上述の条件の下では、第一ラベル区分と第二ラベル区分、及び第一剥離区分と第二剥離区分とを単一の第二輪郭線により包囲される領域に、境界線となる第二折り曲げ線を挟んでそれぞれ一体に形成し、第一折り曲げ線と第二折り曲げ線とを、面方向に略直交するように位置付けることも可能である。このようにした場合は、第一折り曲げ線に沿った第二フィルム区分の折り曲げ方向と、第二折り曲げ線に沿った第二ラベル区分及び第二剥離区分の折り曲げ方向とを略直交させることになる。
【００１７】
これに対して同条件の下では、それぞれ単一の第一輪郭線に包囲された一体をなす第一フィルム区分及び第二フィルム区分の組を一対にして並列させて形成し、この並列方向と直交する方向に、それぞれ単一の第二輪郭線により包囲された一体をなす第一ラベル区分及び第二ラベル区分と一体をなす第一剥離区分と第二剥離区分の組を一対にして並列させて形成し、各第一ラベル区分及び第一剥離区分を対応する各第一フィルム区分の領域内に配置することも可能である。このようにラミネートカードの構成要素を一対に構成し、ラミネート用紙上のフィルム側の構成要素とラベル側の構成要素とをＬ字型をなすように配置することで、ラミネート用紙における当該構成要素の配置効率をさらに向上することができる。
【００１８】
この場合、各第二ラベル区分及び第二剥離区分を、それらと一体をなす第一ラベル区分及び第二剥離区分が配置された第一フィルム区分と並列する他方の第二フィルム区分とに跨って配置することで、ラベル紙及び剥離紙における各ラベル区分及び剥離区分の配置効率を向上することができる。
【００１９】
そしてこの場合には、並列配置された一対の前記第一フィルム区分及び第二フィルム区分の組同士を、所定距離離間させてもよいし、並列配置された一対の前記第一フィルム区分及び第二フィルム区分の組同士を、対応する各第一輪郭線が隣接位置において共通部分を有するように配置してもよい。
【００２０】
また、第一フィルム区分の平面視寸法を、第一ラベル区分及び第一剥離区分の平面視寸法よりも大きいものとして、第一ラベル区分及び第一剥離区分をそれらの周囲に第一フィルム区分による余剰部分を存在させる位置に配置するという条件の下では、第一フィルム区分と前記第二フィルム区分とを、それぞれ個別の第一輪郭線により包囲される領域に所定距離離間させて形成することも可能である。この場合は、各ラベル区分への印刷又は筆記の後、第一フィルム区分第二フィルム区分とを、それぞれ別個に取り扱うこととなる。
【００２１】
この場合、第一ラベル区分及び第一剥離区分と第二ラベル区分及び第二剥離区分とを、それぞれ個別の第二輪郭線により包囲される領域に所定距離離間させて形成し、第一ラベル区分及び第一剥離区分を第一フィルム区分の領域内に設定するとともに、第二ラベル区分及び第二剥離区分を第二フィルム区分の領域内に設定すれば、裏返した第一ラベル区分及び第一剥離区分と、第二ラベル区分及び第二剥離区分を、それぞれ個別に開口部に嵌め込んだ状態で、フィルム区分と一体にラミネート用紙から離脱させることができる。またこの場合は、各ラベル区分への印刷又は筆記の後、第一ラベル区分及び第一剥離区分と、第二ラベル区分及び第二剥離区分とを、それぞれ別個に取り扱うこととなる。
【００２２】
これに対して、第一ラベル区分と第二ラベル区分、及び第一剥離区分と第二剥離区分とを単一の第二輪郭線により包囲される領域に、境界線となる第二折り曲げ線を挟んでそれぞれ一体に形成し、第一ラベル区分と第一剥離区分と前記第二折り曲げ線とを前記第一フィルム区分の領域内に設定するとともに、第二ラベル区分及び第二剥離区分を、第一フィルム区分と第二フィルム区分とに跨って配置すれば、第一ラベル区分及び第一剥離区分と第二ラベル区分及び第二剥離区分とを一体に取り扱うことができる。
【００２３】
以上の他にも、ラミネート用紙において、第一フィルム区分の平面視寸法を、第一ラベル区分及び第一剥離区分の平面視寸法と略同一として、第一フィルム区分と第一ラベル区分と第一剥離区分、及び第二フィルム区分と第二ラベル区分と第二剥離区分を、それぞれ同一箇所に重合させることもできる。この場合には、各ラベル区分、各剥離区分、各フィルム区分が全て略同一寸法のものとなるため、ラミネートカードを作成する際には必ず各剥離区分を剥がし、第二粘着剤層同士の接着によりラベル区分同士を貼り合わせる必要がある。
【００２４】
この場合、第一フィルム区分、第一ラベル区分及び第一剥離区分の組と、第二フィルム区分、第二ラベル区分及び第二剥離区分の組とを、所定距離離間させて配置してもよいし、第一フィルム区分、第一ラベル区分及び第一剥離区分の組と、第二フィルム区分、第二ラベル区分及び第二剥離区分の組とを相互に接触させて隣接配置してもよい。
【００２５】
さらに後者の場合には、第一フィルム区分と第二フィルム区分とを単一の第一輪郭線により包囲される領域に、境界線となる第一折り曲げ線を挟んで一体に形成するとともに、第一ラベル区分と第二ラベル区分、及び第一剥離区分と第二剥離区分とを単一の第二輪郭線により包囲される領域に、境界線となる第二折り曲げ線を挟んでそれぞれ一体に形成することが可能である。
【発明の効果】
【００２６】
本発明のラミネート用紙は、透光性フィルムとラベル紙とをそれらの粘着剤層を有する側の面を対向させ、両者の間に剥離紙を介在させた三層構造をなすものであって、フィルム、ラベル紙、剥離紙に形成された各一対のフィルム区分、ラベル区分、剥離区分を離脱させることで、重ね合わせたラベル区分の各記入面を表裏に向けるとともにそれら記入面を各ラベル区分で覆った形態の両面表示が可能なラミネートカードを形成し得るようにしたものである。そして、ラミネート用紙からのラミネートカードの作成時に、各記入面に印刷又は筆記したラベル区分を剥離区分と共にラミネート用紙から一旦剥がし、その剥がした跡にできた開口部にラベル区分及び剥離区分を裏返しにして嵌め込んで、ラベル区分の記入面をフィルム区分における粘着剤層に貼り付け得るように構成している。その結果、ラミネートカードの作成時にフィルム区分同士を熱圧着するシーラーが不要であるのは勿論のこと、フィルムとラベル紙と剥離紙とを三層構造とした一枚のラミネート用紙におけるラベル紙に印刷又は筆記をすることで両面にユーザが任意の記載をすることができるラミネートカードを簡易に作成することが可能である。特にラベル紙への印刷は、業務用又は家庭用の簡易なプリンタで可能であるので、斯かるラミネートカードを極めて安価に作成することができる。以上により、本発明は、中小規模のオフィスや事業所、店舗、個人の家庭等において、両面に任意の記載を施したＩＤカード、ＰＯＰカードを始めとする種々のラミネートカードを作成するのに極めて適したものである。
【発明を実施するための最良の形態】
【００２７】
以下、本発明の実施形態を、図面を参照して説明する。
【００２８】
図１は、本発明の第一実施形態に係るラミネート用紙Ｐａを示すものであり、同図（ａ）は当該ラミネート用紙Ｐａを平面的に示す図、同図（ｂ）はその模式的な断面図である。このラミネート用紙Ｐａは、ラベル紙Ｌａと、透光性を有するフィルムＦａと、これらラベル紙ＰａとフィルムＦａとの間に介在させた剥離紙Ｈａとを密接に重合させた三層構造を有している。なお、剥離紙Ｈａ及びフィルムＦａは、ラベル紙Ｌａと略同じ平面視寸法を有するものであり、同図（ａ）においては、ラベル紙Ｌａによって視認することができない。そこで、説明の便宜上、同図において、ラベル紙Ｌａの符号に続いて括弧書きで剥離紙Ｈａ及びフィルムＦａの符号を付している。このように、各図面において括弧書きで付されている符号は、当該括弧の直前又は直上に付す符号が示す部位又は領域と略同じ平面視寸法を有し、図面上では視認できない部材又は領域を指し示すものである。
【００２９】
フィルムＦａは、透視可能な保護フィルムである。斯かるフィルムＦａとして、例えば、透明フィルム、半透明フィルム、色つきフィルム、模様つきフィルム等を採用することができ、材質もオレフィン系、エステル系の樹脂素材からなるものを採用することができるが、本実施形態では、寸法安定性及び透明性に優れたＰＥＴ（ポリエチレンテフタレート）製の透明フィルムを採用している。このフィルムＦａの一方の面であって且つ剥離紙Ｈａに接する面に第一粘着剤層Ｆａｘを形成している。第一粘着剤層Ｆａｘは、周知の粘着剤を用いてなるものであり、本実施形態においてはソルベント型アクリル系粘着剤を用いて構成し、この第一粘着剤層ＦａｘをフィルムＦａの一方の面全域に形成している。
【００３０】
ラベル紙Ｌａは、手書きで記入可能であり且つプリンタによって所定の印刷内容が印刷可能な素材からなるものである。斯かるラベル紙Ｌａとして、例えば、コート紙、上質紙、クラフト紙、サーマル紙等種々の紙類を採用することができ、特に本実施形態ではインクジェットプリンタ用マット紙を適用している。そして、ラベル紙Ｌａの一方の面を印刷や筆記が可能な記入面Ｌａｚとするとともに他方の面であって且つ剥離紙Ｈａに接する面に第二粘着剤層Ｌａｘを形成している。第二粘着剤層Ｌａｘは、周知の接着剤を用いてなるものであり、本実施形態においてはエマルジョン型アクリル系粘着剤を用いて構成しており、この第二粘着剤層Ｌａｘをラベル紙Ｌａの他方の面全域に形成している。
【００３１】
剥離紙Ｈａは、フィルムＦａの第一粘着剤層Ｆａｘ側を向く面に第一剥離処理層Ｈａｕを形成するとともに、ラベル紙Ｌａの第二粘着剤層Ｌａｘ側を向く面に第二剥離処理層Ｈａｖを形成してある。これら各剥離処理層Ｈａｕ，Ｈａｖは、フィルムＦａの第一粘着剤層Ｆａｘ側を向く面及びラベル紙Ｌａの第二粘着剤層Ｌａｘ側を向く面にそれぞれ剥離処理剤として例えばシリコン樹脂溶液を塗布することによって形成したものであり、このシリコン塗布量を適宜調節することにより、ラベル紙Ｌａの第二粘着剤層ＬａｘよりもフィルムＦａの第一粘着剤層Ｆａｘに対して優先的に剥離するように設定している。なお、各剥離処理層Ｈａｕ，Ｈａｖの剥離力に差異を設けるための他の態様として、異種の剥離処理剤を使用する、又は剥離処理剤の塗布面積を異ならせる等の態様を採用してもよい。
【００３２】
そして、前記フィルムＦａに抜き加工用の第一輪郭線Ｆａｏを形成し、単一の第一輪郭線Ｆａｏにより包囲されるフィルムＦａ上の領域に、互いに略等しい平面視寸法を有する第一フィルム区分Ｆａ１及び第二フィルム区分Ｆａ２を、これら第一フィルム区分Ｆａ１と第二フィルム区分Ｆａ２とを区分けする第一折り曲げ線Ｆａ３を挟んで一体に形成している。本実施形態では、第一フィルム区分Ｆａ１及び第二フィルム区分Ｆａ２をそれぞれコーナー部が丸みを帯びた略方形状に設定し、これら各フィルム区分Ｆａ１，Ｆａ２の一方の長辺同士を隣接させている。このようにして一体に形成してなる第一フィルム区分Ｆａ１及び第二フィルム区分Ｆａ２は、第一輪郭線Ｆａ３に沿ってラミネート用紙Ｐａ（具体的にはフィルムＦａ）から分離可能に設定されている。抜き加工用の第一輪郭線Ｆａｏは、フィルムＦａの肉厚方向に貫通する切断部とフィルムＦａの肉厚方向に貫通していない非切断部とを互い違いに連続してなるものであり、本実施形態においては、第一フィルム区分Ｆａ１及び第二フィルム区分Ｆａ２を、ラミネート用紙Ｐａから容易に切り離せるように、各フィルム区分Ｆａ１，Ｆａ２のコーナー部に位置する第一輪郭線Ｆａｏを切断部のみで形成し、各フィルム区分Ｆａ１，Ｆａ２の直線部に位置する第一輪郭線Ｆａｏを前記切断部と前記非切断部とを交互に配することによって形成している。特に、第一輪郭線Ｆａｏを構成する各非切断部の長さを０．２ｍｍに設定することが好ましいが、非切断部の長さがこれに限らないことはいうまでもない。第一折り曲げ線Ｆａ３は、前記切断部と前記非切断部とを互い違いに連続させてなるものである。
【００３３】
また、前記ラベル紙Ｌａと前記剥離紙Ｈａとには、共通の抜き加工用の第二輪郭線Ｌａｏを形成し、単一の第二輪郭線Ｌａｏにより包囲されるラベル紙Ｌａ及び剥離紙Ｈａ上の領域に、互いに略等しい平面寸法を有する第一ラベル区分Ｌａ１及び第二ラベル区分Ｌａ２、並びに第一剥離区分Ｈａ１及び第二剥離区分Ｈａ２を、第一ラベル区分Ｌａ１と第二ラベル区分Ｌａ２とを区分けし且つ第一剥離区分Ｈａ１と第二剥離区分Ｈａ２とを区分けする第二折り曲げ線Ｌａ３を挟んで一体に形成している。本実施形態では、各ラベル区分Ｌａ１，Ｌａ２及び各剥離区分Ｈａ１，Ｈａ２の平面視寸法を、各フィルム区分Ｆａ１，Ｆａ２の平面視寸法よりも小さい略方形状に設定し、これら各ラベル区分Ｌａ１，Ｌａ２及び各剥離区分Ｈａ１，Ｈａ２のそれぞれ一方の長辺同士を隣接させている。このようにして一体に形成してなる第一ラベル区分Ｌａ１及び第二ラベル区分Ｌａ２、並びに第一剥離区分Ｈａ１及び第二剥離区分Ｈａ２は、第二輪郭線Ｌａｏに沿ってラミネート用紙Ｐａ（具体的にはラベル紙Ｌａ及び剥離紙Ｈａ）から分離可能に設定されている。前記抜き加工用の第二輪郭線Ｌａｏは、ラベル紙Ｌａ及び剥離紙Ｈａの肉厚方向に貫通する切断部のみからなり、他方、第二折り曲げ線Ｌａ３は、ラベル紙及Ｌａび剥離紙Ｈａの肉厚方向に貫通する切断部と、ラベル紙Ｌａ及び剥離紙Ｈａの肉厚方向に貫通していない非切断部とを互い違いに連続してなるものである。なお、各ラベル区分Ｌａ１，Ｌａ２同士又は各剥離区分Ｈａ１，Ｈａ２同士が前記切断部を一部に有する第二折り曲げ線Ｌａ３によって相互に分裂することを防止するために、第二折り曲げ線Ｌａ３の両端をそれぞれ第二輪郭線Ｌａｏから所定距離離間した位置に設定してある。このような構成を有するラミネート用紙Ｐａにおいて、各フィルム区分Ｆａ１，Ｆａ２は所定の力が付与されない限りフィルムＦａから分離することはなく、各ラベル区分Ｌａ１，Ｌａ２及び各剥離区分Ｈａ１，Ｈａ２は第二輪郭線Ｌａ３によって切断されているものの、第一粘着剤層Ｆａｘ及び第二粘着剤層Ｌａｘを介してフィルムＦａに保持され、全体としてラミネート用紙Ｐａの形態を保っている。
【００３４】
さらに、本実施形態においては、前記第一折り曲げ線Ｆａ３と前記第二折り曲げ線Ｌａ３とを面方向に偏位させて平面視平行をなすように位置付け、離脱前の状態にある第一ラベル区分Ｌａ１及び第一剥離区分Ｈａ１を、第一フィルム区分Ｆａ１の領域内に配置するとともに、離脱前の状態にある第二ラベル区分Ｌａ２及び第二剥離区分Ｈａ２を、第一フィルム区分Ｆａ１と第二フィルム区分Ｆａ２とに跨るように配置している。また、第一ラベル区分Ｌａ１及び第一剥離区分Ｈａ１の周囲に第一フィルム区分Ｆａ１による余剰部分が存在するとともに、第二ラベル区分Ｌａ２及び第二剥離区分Ｈａ２の周囲に第二フィルム区分Ｆａ２による余剰部分が存在するように各ラベル区分Ｌａ１，Ｌａ２及び各剥離区分Ｈａ１，Ｈａ２を配置している。そして、本実施形態では、第一輪郭線Ｆａｏにより包囲される第一フィルム区分Ｆａ１及び第二フィルム区分Ｆａ２と、第二輪郭線Ｌａｏにより包囲される第一ラベル区分Ｌａ１及び第二ラベル区分Ｌａ２並びに第一剥離区分Ｈａ１及び第二剥離区分Ｈａ２とをＡ４サイズのラミネート用紙にそれぞれ４箇所設けている。
【００３５】
次に、このような構成を有するラミネート用紙ＰａからラミネートカードＣａを作成する方法、及び作成されたラミネートカードＣａについて、図２及び図３を参照して説明する。
【００３６】
先ず、ラベル紙Ｌａに設けた第一ラベル区分Ｌａ１及び第二ラベル区分Ｌａ２の各記入面Ｌａｚに、プリンタ（例えばインクジェットプリンタ等の簡易タイプのプリンタ）を用いて所要事項を印刷し、又は手書きによって所要事項を記入し（図２（ａ））、次いで、第二輪郭線Ｌａｏに沿って第一ラベル区分Ｌａ１及び第二ラベル区分Ｌａ２並びに第一剥離区分Ｈａ１及び第二剥離区分Ｈａ２をラミネート用紙Ｐａから剥がそうとすると、剥離紙ＨａとフィルムＦａの第一粘着剤層Ｆａｘとの間における剥離動作が、剥離紙Ｈａとラベル紙Ｌａの第二粘着剤層Ｌａｘとの間における剥離動作よりも優先して行われるため、各ラベル区分Ｌａ１，Ｌａ２と各剥離区分Ｈａ１，Ｈａ２とが重層した状態でラミネート用紙Ｐａから分離する（同図（ｂ））。この状態において、ラベル紙Ｌａ及び剥離紙Ｈａには、各ラベル区分Ｌａ１，Ｌａ２及び各剥離区分Ｈａ１，Ｈａ２の離脱により前記第二輪郭線Ｌａｏに囲まれてなる開口部Ｌａｓが形成される。この開口部Ｌａｓには、前記フィルムＦａの第一粘着剤層Ｆａｘが表出しており、前記重層状態にある各ラベル区分Ｌａ１，Ｌａ２及び各剥離区分Ｈａ１，Ｈａ２を、各ラベル区分Ｌａ１，Ｌａ２の記入面ＬａｚがフィルムＦａの第一粘着剤層Ｆａｘに対面するように裏返し、この裏返し姿勢で前記開口部Ｌａｓに嵌め込み、第一ラベル区分Ｌａ１の記入面Ｌａｚを第一フィルム区分Ｆａ１の第一粘着剤層Ｆａｘに貼り付けるとともに、第一剥離区分Ｈａ１と第二剥離区分Ｈａ２とが対面するように第二ラベル区分Ｌａ２及び第二剥離区分Ｈａ２を第一ラベル区分Ｌａ１及び第一剥離区分Ｈａ１側へ第二折り曲げ線Ｌａ３に沿って折り曲げる（同図（ｃ））。この際、第二輪郭線Ｌａｏによって形成された開口部Ｌａｓは、重層状態にある第一ラベル区分Ｌａ１及び第一剥離区分Ｈａ１の第一フィルム区分Ｆａ１に対する貼付位置を位置決めする位置決め手段として機能する。なお、開口部Ｌａｓにおける第一フィルム区分Ｌａ１側には、第二ラベル区分Ｌａ２及び第二剥離区分Ｈａ２を貼り付けて、第一ラベル区分Ｌａ１及び第一剥離区分Ｈａ１を第二折り曲げ線Ｌａ３に沿って第二ラベル区分Ｌａ２及び第二剥離区分Ｈａ２側へ折り曲げることも可能であるが、ここでは説明の簡略化のため、上述の通りの工程でラミネートカードＣａの作成を行うものとする。引き続き、フィルムＦａに設けた第一輪郭線Ｆａｏに沿って、第一フィルム区分Ｆａ１及び第二フィルム区分Ｆａ２を、重層状態にある各ラベル区分Ｌａ１，Ｌａ２及び各剥離区分Ｈａ１，Ｈａ２と共にラミネート用紙Ｐａから剥がすことにより、第一ラベル区分Ｌａ１を第一フィルム区分Ｆａ１によってラミネート処理を施した状態とする（同図（ｄ）、当該（ｄ）はフィルム区分Ｆａ１，Ｆａ２側から見た図である）。なお、この状態において、ラミネート用紙における第二輪郭線に囲まれた開口部Ｌａｓは中空となる。
【００３７】
しかして、第二フィルム区分Ｆａ２によって第二ラベル区分Ｌａ２をラミネートするように第二フィルム区分Ｆａ２を第一折り曲げ線Ｆａ３に沿って第一フィルム区分Ｆａ１側へ折り曲げるとともに、各ラベル区分Ｆａ１，Ｆａ２を外側から挟み込んだ状態で対面し且つ各ラベル区分Ｌａ１，Ｌａ２及び各剥離区分Ｈａ１，Ｈａ２の周囲に存在する各フィルム区分Ｆａ１，Ｆａ２の余剰部分同士を、第一粘着剤層Ｆａｘ同士を接着することにより貼り合わせることにより、各ラベル区分Ｌａ１，Ｌａ２の記入面Ｌａｚを対応する各フィルム区分Ｆａ１，Ｆａ２でラミネートしたラミネートカードＣａが形成される（図３（ａ）第一フィルム区分Ｆａ１，第一ラベル区分Ｌａ１側、同図（ｂ）第二フィルム区分Ｆａ２，第二ラベル区分Ｌａ２側）。
【００３８】
なお、フィルムＦａ、剥離紙Ｈａ、及びラベル紙Ｌａの三層状のラミネート用紙ＰａからラミネートカードＣａを形成する過程において、第二輪郭線Ｌａｏに沿ってラベル紙Ｌａ及び剥離紙Ｈａから剥がし且つ重層状態にある各ラベル区分Ｌａ１，Ｌａ２及び各剥離区分Ｈａ１，Ｈａ２を、各ラベル区分Ｌａ１，Ｌａ２の記入面ＬａｚがフィルムＦａの第一粘着剤層Ｆａｘに対面するように裏返し、この裏返し姿勢で前記開口部Ｌａｓに嵌め込んで第一ラベル区分Ｌａ１の記入面Ｌａｚを第一フィルム区分Ｆａ１の第一粘着剤層Ｆａｘに貼り付けた時点、或いは、フィルムＦａに設けた第一輪郭線Ｆａｏに沿って第一フィルム区分Ｆａ１及び第二フィルム区分Ｆａ２を重層状態にある各ラベル区分Ｌａ１，Ｌａ２及び各剥離区分Ｈａ１，Ｈａ２と共にラミネート用紙Ｐａから剥がした時点で、第一剥離区分Ｈａ１及び第二剥離区分Ｈａ２をそれぞれ第一ラベル区分Ｌａ１及び第二ラベル区分Ｌａ２から剥がし、それにより表出してなる各ラベル区分Ｌａ１，Ｌａ２の第二粘着剤層Ｌａｘ同士を接着することにより各ラベル区分Ｌａ１，Ｌａ２同士を貼り合わせるとともに、これら各ラベル区分Ｌａ１，Ｌａ２をそれぞれ外側から挟み込んだ状態で対面する第一フィルム区分Ｆａ１と第二フィルム区分Ｆａ２とを前記第一粘着剤層Ｆａｘ同士の接着により貼り合わせてなるラミネートカードＣａを形成してもよい。このような構成を有するラミネートカードＣａは、各フィルム区分Ｆａ１，Ｆａ２の第一粘着剤層Ｆａｘ同士を貼り合わせるのみならず、各ラベル区分Ｌａ１，Ｌａ２の第二粘着剤層Ｌａｘ同士をも貼り合わせる態様であるため、ラミネートカードＣａ全体の貼り付け強度を有効に高めることができる。
【００３９】
このように、本実施形態のラミネート用紙Ｐａを用いれば、簡易なプリンタを用いた印刷又は手書きによって両面にユーザが任意の記載を施したラミネートカードＣａを簡便に作成することができる。また、斯かるラミネートカードＣａの作成に際して、フィルムを熱圧着するシーラー等の機器が不要であるので、この面でも低価格でのラミネートカードＣａの作成が可能であるといえる。
【００４０】
特に本実施形態では、単一の第一輪郭線Ｆａｏにより包囲される領域に第一フィルム区分Ｆａ１と第二フィルム区分Ｆａ２を形成しており、また単一の第二輪郭線Ｌａｏにより包囲される領域に第一ラベル区分Ｌａ１と第二ラベル区分Ｌａ２及び第一剥離区分Ｈａ１と第二剥離区分Ｈａ２を形成しているので、記入面Ｌａｚへの印刷又は筆記後に、第一ラベル区分Ｌａ１と第二ラベル区分Ｌａ２及び第一剥離区分Ｈａ１と第二剥離区分Ｈａ２を全て一体に剥がす作業や裏返す作業をおこなうことができ、最後にラミネートカードＣａを作成する段階でもそれらと第一フィルム区分Ｆａ１及び第二フィルム区分Ｆａ２を一体に取り扱うことができる。さらにラミネート用紙Ｐａにおいては、第一ラベル区分Ｌａ１を第一フィルム区分Ｌａ１の領域内に位置付けており、しかも第一ラベル区分Ｌａ１の周囲全域に亘って第一フィルム区分Ｆａ１による余剰部分を形成していることから、各ラベル区分Ｌａ１，Ｌａ２から各剥離区分Ｈａ１，Ｈａ２を剥がすか否かを問わず、当該余剰部分における両フィルム区分Ｆａ１，Ｆａ２の第一粘着剤層Ｆａｘを貼り合わせて、両ラベル区分Ｌａ１，Ｌａ２を両フィルム区分Ｆａ１，Ｆａ２で覆ったラミネートカードＣａを作成することが可能である。また、一旦剥がした両ラベル区分Ｌａ１，Ｌａ２及び両剥離区分Ｈａ１，Ｈａ２を裏返し、その剥がした跡にできた開口部Ｌａｓにおける第一フィルム区分Ｆａ１側へ第一ラベル区分Ｌａ１及び第一剥離区分Ｈａ１を嵌め込んだ際には、第二折り曲げ線Ｌａ３が第一フィルム区分Ｆａ１上にあり、しかも第一ラベル区分Ｌａ１と第二ラベル区分Ｌａ２及び第一剥離区分Ｈａ１と第二剥離区分Ｈａ２が全て同形同大であるので、各剥離区分Ｈａ１，Ｈａ２を剥がさない場合には第二折り曲げ線Ｌａ３に沿って第二ラベル区分Ｌａ１及び第二剥離区分Ｈａ１を折り返すだけで、各剥離区分Ｈａ１，Ｈａ２を剥がす場合には第二折り曲げ線Ｌａ３に沿って第二ラベル区分Ｌａ２を折り返すだけで、最終的に記入面Ｌａｚが各フィルム区分Ｆａ１，Ｆａ２側を向くように簡単にラベル区分Ｌａ１，Ｌａ２同士を重ね合わせることが可能である。
【００４１】
また、上述した構成とは異なるラミネート用紙からラミネートカードを形成しても構わない。以下、図４〜図８を参照しながら説明する各ラミネート用紙は、各フィルム区分の平面視寸法を、各ラベル区分の平面視寸法よりも大きいものとした条件の下、それぞれ各フィルム区分、各剥離区分、及び各ラベル区分の形態や、各フィルム区分と各剥離区分及び各ラベル区分との位置関係が前述したラミネート用紙と異なるものである。
【００４２】
例えば、図４に示すラミネート用紙Ｐｂは、第一フィルム区分Ｆｂ１と第二フィルム区分Ｆｂ２とを単一の第一輪郭線Ｆｂｏにより包囲される領域に、これら第一フィルム区分Ｆｂ１と第二フィルム区分Ｆｂ２とを区分けし得る第一折り曲げ線Ｆｂ３を挟んで一体に形成するとともに、第一ラベル区分Ｌｂ１と第二ラベル区分Ｌｂ２、及び第一剥離区分Ｈｂ１と第二剥離区分Ｈｂ２とを単一の第二輪郭線Ｌｂｏにより包囲される領域に、これら第一ラベル区分Ｌｂ１と第二ラベル区分Ｌｂ２、及び第一剥離区分Ｈｂ１と第二剥離区分Ｈｂ２とを区分けし得る第二折り曲げ線Ｌｂ３を挟んでそれぞれ一体に形成したものである。そして、第一折り曲げ線Ｆｂ３と第二折り曲げ線Ｌｂ３とを重層方向において同一直線状に位置付けて、離脱前の状態における第一ラベル区分Ｌｂ１及び第一剥離区分Ｈｂ１を第一フィルム区分Ｆｂ１の領域内に設定するとともに、離脱前の状態における第二ラベル区分Ｌｂ２及び第二剥離区分Ｈｂ２を、第二フィルム区分Ｆｂ２の領域内に設定したものである。
【００４３】
このようなラミネート用紙ＰｂからラミネートカードＣｂを形成する場合、上記と略同じ手順で重層状態にある各剥離区分Ｈｂ１，Ｈｂ２及び各ラベル区分Ｌｂ１，Ｌｂ２を前記裏返し姿勢で開口部（図示省略）に嵌め込み、第一ラベル区分Ｌｂ１の記入面Ｌｂｚを第一フィルム区分Ｆｂ１の第一粘着剤層Ｆｂｘに貼り付けるとともに、第二ラベル区分Ｌｂ２の記入面Ｌｂｚを第二フィルム区分Ｆｂ２の第一粘着剤層Ｆｂｘに貼り付けた後、フィルムＦｂに設けた第一輪郭線Ｆｂｏに沿って、第一フィルム区分Ｆｂ１及び第二フィルム区分Ｆｂ２を、各ラベル区分Ｌｂ１，Ｌｂ２及び各剥離区分Ｈｂ１，Ｈｂ２と共にラミネート用紙Ｐｂから剥がすことにより、第一ラベル区分Ｌｂ１及び第二ラベル区分Ｌｂ２を第一フィルム区分Ｆｂ１及び第二フィルム区分Ｆｂ２によってラミネート処理を施したラミネートカードＣｂが形成される。そして、各剥離区分Ｈｂ１，Ｈｂ２を各ラベル区分Ｌｂ１，Ｌｂ２から剥がさない場合は、第一折り曲げ線Ｆｂ３及び第二折り曲げ線Ｌｂ３に沿って、各フィルム区分Ｆｂ１，Ｆｂ２同士、各ラベル区分Ｌｂ１，Ｌｂ２同士及び各剥離区分Ｈｂ１，Ｈｂ２を相互に重ね合わせるように折り曲げ、或いは各剥離区分Ｈｂ１，Ｈｂ２を各ラベル区分Ｌｂ１，Ｌｂ２から剥がす場合は、各フィルム区分Ｆｂ１，Ｆｂ２同士、及び各剥離区分Ｈｂ１，Ｈｂ２を剥がした各ラベル区分Ｌｂ１，Ｌｂ２同士を相互に重ね合わせるように折り曲げる。さらに、各ラベル区分Ｌｂ１，Ｌｂ２を外側から挟み込んだ状態で対面し且つ各ラベル区分Ｌｂ１，Ｌｂ２の周囲に存在する各フィルム区分Ｆｂ１，Ｆｂ２の余剰部分同士を、第一粘着剤層（図示省略）同士を接着することによって貼り合わせる、或いは、これら第一粘着剤層同士の接着に加えて、各ラベル区分Ｌｂ１，Ｌｂ２を、各剥離区分Ｈｂ１，Ｈｂ２を剥離することにより表出してなる第二粘着剤層（図示省略）同士を接着することによって貼り合わせると、少なくとも一縁部において第一折り曲げ線Ｆｂ３と第二折り曲げ線Ｌｂ３とが重なり合ったラミネートカードＣｂが形成される（図５参照、同図（ａ）は一方の面から見たラミネートカードＣｂであり、同図（ｂ）は他方の面から見たラミネートカードＣｂである）。このようなものであれば、ワンアクションで第二ラベル区分Ｌｂ２を第一ラベル区分Ｌｂ１に重ねると同時に第二フィルム区分Ｆｂ２を第一フィルム区分Ｆｂ１に重ねることが可能となり、ラミネートカードＣｂの作成工程をさらに簡易なものとすることができる。
【００４４】
また、図６に示すラミネート用紙Ｐｃは、第一フィルム区分Ｆｃ１と第二フィルム区分Ｆｃ２とを単一の第一輪郭線Ｆｃｏにより包囲される領域に、これら第一フィルム区分Ｆｃ１と第二フィルム区分Ｆｃ２とを区分けし得る第一折り曲げ線Ｆｃ３を挟んで一体に形成するとともに、第一ラベル区分Ｌｃ１と第二ラベル区分Ｌｃ２とを、それぞれ個別の第二輪郭線Ｌｃｏにより包囲される領域に所定距離離間させて形成し、離脱前の状態にある第一ラベル区分Ｌｃ１及び第一剥離区分Ｈｃ１を、第一フィルム区分Ｆｃ１の領域内に設定するとともに、離脱前の状態にある第二ラベル区分Ｌｃ２及び第二剥離区分Ｈｃ２を、第二フィルム区分Ｆｃ２の領域内に設定したものであり、斯かるラミネート用紙Ｐｃからラミネートカード（図示省略）を作成してもよい。
【００４５】
このようなラミネート用紙Ｐｃからラミネートカードを作成するには、記入面Ｌｃｚに印刷または筆記した第一ラベル区分Ｌｃ１及び第二ラベル区分Ｌｃ２をそれぞれ個別にラミネート用紙Ｐｃから分離し且つ前記裏返し姿勢で、各第二輪郭線Ｌｃｏによって形成される各開口部（図示省略）に嵌め込んでフィルムＦｃの第一粘着剤層（図示省略）に貼り付け、フィルムＦｃに設けた第一輪郭線Ｆｃｏに沿って、第一フィルム区分Ｆｃ１及び第二フィルム区分Ｆｃ２を、重層状態にある各ラベル区分Ｌｃ１、Ｌｃ２及び各剥離区分Ｈｃ１、Ｈｃ２と共にラミネート用紙Ｐｃから剥がすことになる。これにより、第一ラベル区分Ｌｃ１及び第二ラベル区分Ｌｃ２を第一フィルム区分Ｆｃ１及び第二フィルム区分Ｆｃ２によってラミネート処理を施したラミネートカードが形成される。なお、図６に示すラミネート用紙Ｐｃから形成したラミネートカード（図示省略）は、図３に示すラミネートカードＣａにおける第一折り曲げ線Ｆａ３及び第二折り曲げ線Ｌａ３が存在しない点以外は、同図に示すラミネートカードＣａと略同様の構成を有するものとなる。ただし、一方のラベル区分及び剥離区分を裏返しにして一方の開口部に嵌め込み、その状態で当該剥離区分をラベル区分から剥がしておいて、予め剥離区分を剥がした状態にした他方のラベル区分を裏返すことなく前記開口部に嵌め込んであるラベル区分に第二粘着剤層同士の接着で貼り合わせた後で、両フィルム区分Ｆｃ１，Ｆｃ２と両ラベル区分Ｌｃ１，Ｌｃ２を一体にラミネート用紙Ｐｃから離脱させ、最後に一方のフィルム区分を他方のフィルム区分側へ折り返して貼り合わせることによっても、同様のラミネートカードＣａを作成することができる。またこの工程で、剥離区分をラベル区分から剥がすことなく、一方のラベル区分及び剥離区分のみを裏返し一方の開口部に嵌め込んで位置決めしておき、両フィルム区分Ｆｃ１，Ｆｃ２ごとラミネート用紙Ｐｃから離脱させた後で、他方のラベル区分及び剥離区分をフィルム区分に貼り付けられているラベル区分及び剥離区分に対して重ね合わせたうえで、一方のフィルム区分を他方のフィルム区分側へ折り返して貼り合わせることによっても、同様のラミネートカードＣａを作成することができるのはいうまでもない。
【００４６】
また、図７に示すように、それぞれ単一の第一輪郭線Ｆｄｏに包囲された一体をなす第一ラベル区分Ｌｄ１及び第二ラベル区分Ｌｄ２の組を一対にして並列させて形成し、この並列方向と直交する方向に、それぞれ単一の第二輪郭線Ｌｄｏにより包囲された一体をなす第一ラベル区分Ｌｄ１及び第二ラベル区分Ｌｄ２と一体をなす第一剥離区分Ｈｄ１及び第二剥離区分Ｈｄ２の組を一対にして並列させて形成したラミネート用紙Ｐｄを採用しても構わない。特にこのラミネート用紙Ｐｄでは、各第一ラベル区分Ｌｄ１を対応する各第一フィルム区分Ｆｄ１の領域内に配置するとともに、離脱前の状態における各第二ラベル区分Ｌｄ２を、それらと一体をなす第一ラベル区分Ｌｄ１が配置された第一フィルム区分Ｆ１と並列する他方の第二フィルム区分Ｆｄ２とに跨って配置し、並列配置された一対の前記第一フィルム区分Ｆｄ１及び第二フィルム区分Ｆｄ２の組同士を、所定距離離間させている。このようにラミネートカードの構成要素を一対に構成し、ラミネート用紙Ｐｄ上のフィルムＦｄ側の構成要素とラベルＬｄ側の構成要素とをＬ字型をなすように配置することで、ラミネート用紙Ｐｄにおける当該構成要素の配置効率をさらに向上することができる。
【００４７】
そして、重層状態にある一方の組の各剥離区分Ｈｄ１，Ｈｄ２及び各ラベル区分Ｌｄ１，Ｌｄ２を前記裏返し姿勢で開口部（図示省略）に嵌め込み、当該第一ラベル区分Ｌｄ１の記入面Ｌｄｚを対応する一方の組の第一フィルム区分Ｆｄ１の第一粘着剤層（（図示省略）に貼り付けるとともに、一方の組を構成する第一剥離区分Ｈｄ１と第二剥離区分Ｈｄ２とが対面するように第二ラベル区分Ｌｄ２及び第二剥離区分Ｈｄ２を第一ラベル区分Ｌｄ１及び第一剥離区分Ｈｄ１側へ第二折り曲げ線Ｌｄ３に沿って折り曲げ、フィルムＦｄに設けた一方の組の第一フィルム区分Ｆｄ１及び第二フィルム区分Ｆｄ２を包囲してなる第一輪郭線Ｆｄｏに沿って、一方の組の第一フィルム区分Ｆｄ１及び第二フィルム区分Ｆｄ２を、重層状態にある一方の組の各ラベル区分Ｌｄ１，Ｌｄ２及び各剥離区分Ｈｄ１，Ｈｄ２と共にラミネート用紙Ｐｄから剥がすことにより、第一ラベル区分Ｌｄ１を第一フィルム区分Ｆｄ１によってラミネート処理を施したラミネートカード（図示省略）が形成される。なお、作成されたラミネートカードは、図３に示したものと略同様の形態となる。また、第一剥離区分Ｈｄ１及び第二剥離区分Ｈｄ２を剥がすことによって、第一ラベル区分Ｌｄ１と第二ラベル区分Ｌｄ２とを貼り合わせた形態のラミネートカードを作成することができるのは、上述した通りである。
【００４８】
なお、図７に示すラミネート用紙Ｐｄは、並列配置された一対の前記第一フィルム区分Ｆｄ１及び第二フィルム区分Ｆｄ２の組同士を、所定距離離間させているが、並列配置された一対の前記第一フィルム区分及び第二フィルム区分の組同士を、対応する各第一輪郭線が隣接位置において共通部分を有するように配置したラミネート用紙（図示省略）を採用しても構わない。さらには、第一フィルム区分と第二フィルム区分とを単一の第一輪郭線により包囲される領域に、これら第一フィルム区分と第二フィルム区分とを区分けし得る第一折り曲げ線を挟んで一体に形成するとともに、第一ラベル区分と第二ラベル区分とを単一の第二輪郭線により包囲される領域に、これら第一ラベル区分と第二ラベル区分とを区分けし得る第二折り曲げ線を挟んで一体に形成し、第一折り曲げ線と第二折り曲げ線とを、面方向に略直交するように位置付けることにより、第一輪郭線に囲まれてなる領域と、第二輪郭線に囲まれなる領域とを略Ｌ字型をなすように設定したラミネート用紙（図示省略）を用いてもよい。
【００４９】
また、図８に示すラミネート用紙Ｐｅは、第一フィルム区分Ｆｅ１と第二フィルム区分Ｆｅ２とを、それぞれ個別の第一輪郭線Ｆｅｏにより包囲される領域に所定距離離間させて形成するとともに、第一ラベル区分Ｌｅ１と第一剥離区分Ｈｅ１、及び第二ラベル区分Ｌｅ２と第二剥離区分Ｈｅ２とを、それぞれ個別の第二輪郭線Ｌｅｏにより包囲される領域に所定距離離間させて形成し、第一ラベル区分Ｌｅ１及び第一剥離区分Ｈｅ１を第一フィルム区分Ｆｅ１の領域内に設定するとともに、第二ラベル区分Ｌｅ２及び第二剥離区分Ｈｅ２を第二フィルム区分Ｆｅ２の領域内に設定したものである。
【００５０】
このようなラミネート用紙Ｐｅを採用した場合、各ラベル区分Ｌｅ１，Ｌｅ２の記入面Ｌｅｚへの印刷又は筆記の後、第一ラベル区分Ｌｅ１と第二ラベル区分Ｌｅ２とをそれぞれ別個に取り扱うこととなり、裏返した第一ラベル区分Ｌｅ１及び第一剥離区分Ｈｅ１と、第二ラベル区分Ｌｅ２及び第二剥離区分Ｈｅ２を、それぞれ個別に前記第二輪郭線Ｌｅｏによって形成される各開口部（図示省略）に嵌め込み、対応する各フィルム区分Ｆｅ１，Ｆｅ２と一体にラミネート用紙Ｐｅから離脱させることができる。そして、各剥離区分Ｈｅ１，Ｈｅ２同士又は各剥離区分Ｈｅ１，Ｈｅ２を剥がし第二粘着剤層（図示省略）を表出させた各ラベル区分Ｌｅ１，Ｌｅ２同士を対面させるとともに、これら各剥離区分Ｈｅ１，Ｈｅ２同士の間又は各ラベル区分Ｌｅ１，Ｌｅ２同士の間に記憶媒体Ｃ１を挟持させた状態で、対面する各フィルム区分Ｆｅ１，Ｆｅ２の第一粘着剤層Ｆｘ同士を接着することによりフィルム区分Ｆｅ１，Ｆｅ２同士を部分的に貼り合わせることで、或いは各剥離区分Ｈｅ１，Ｈｅ２を各ラベル区分Ｌｅ１，Ｌｅ２から剥がしている場合には各ラベル区分Ｌｅ１，Ｌｅ２の第二粘着剤層同士の接着によりラベル区分Ｌｅ１，Ｌｅ２同士をも貼り合わせることで一のラミネートカード（図示省略）を作成することができる。ただし、作成されたラミネートカードは、図３に示したものと略同様の形態となる。
【００５１】
なお、同図においては、ラミネート用紙Ｐｅにおける第一ラベル区分Ｌｅ１及び第一剥離区分Ｈｅ１と第二ラベル区分Ｌｅ２及び第二剥離区分Ｈｅ２との位置関係を、ラミネート用紙Ｐｅの短辺方向に隣り合うように設定しているが、これに限らず、例えばラミネート用紙Ｐｅの長辺方向に隣り合うように設定してもよく、あるいはこれら以外の位置関係に設定しても構わない。つまり、第一ラベル区分Ｌｅ１及び第一剥離区分Ｈｅ１と対になる第二ラベル区分Ｌｅ２及び第二剥離区分Ｈｅ２は、当該第一ラベル区分Ｌｅ１及び第一剥離区分Ｈｅ１を包囲する第二輪郭線Ｌｅｏとは異なる他の第二輪郭線Ｌｅｏに包囲されてなる領域に形成したラベル区分及び剥離区分であればよく、第一ラベル区分Ｌｅ１及び第一剥離区分Ｈｅ１と第二ラベル区分Ｌｅ２及び第二剥離区分Ｈｅ２との位置関係は特に制限されない。また、図８に図示したラミネート用紙Ｐｅは、第一ラベル区分Ｌｅ１と第二ラベル区分Ｌｅ２とを、それぞれ個別の第二輪郭線Ｌｅｏにより包囲される領域に所定距離離間させて形成したものであるが、第一フィルム区分と第二フィルム区分とを、それぞれ個別の第一輪郭線により包囲される領域に所定距離離間させて形成するとともに、第一ラベル区分と第二ラベル区分とを単一の第二輪郭線により包囲される領域に、これら第一ラベル区分及び第一剥離区分と第二ラベル区分及び第二剥離区分とを区分けし得る第二折り曲げ線を挟んでそれぞれ一体に形成し、第一ラベル区分と前記第二折り曲げ線とを第一フィルム区分の領域内に設定するとともに、離脱前の状態にある第二ラベル区分を、第一フィルム区分と第二フィルム区分とに跨って配置したラミネート用紙（図示省略）を採用しても構わない。このようなものであれば、第一ラベル区分及び第一剥離区分と第二ラベル区分及び第二剥離区分とを一体に取り扱うことができる。
【００５２】
また、図８に示したラミネート用紙Ｐｅの変形例として、図９に示すラミネート用紙Ｐｅ'を採用することもできる。なお、説明の都合上、図９において図８に対応する部位には、対応する符号に全て「'」を付している。このラミネート用紙Ｐｅ'では、各フィルム区分Ｆｅ１'，Ｆｅ２'、各ラベル区分Ｌｅ１'，Ｌｅ２'、各剥離区分Ｈｅ１'，Ｈｅ２'、第二輪郭線Ｌｅｏ'の構成、サイズ、配置位置関係については前記ラミネート用紙Ｐｅと略同一としてある（同図（ａ）参照）。その一方、同図（ｂ）に模式的な断面図で現すように、抜き加工用の第一輪郭線Ｆｅｏ'については、ラベル紙Ｌｅ'及び剥離紙Ｈｅ'を貫通してフィルムＦｅ'に至るように、ラベル紙Ｌｅ'側からカッターの刃を入れている点で、ラミネート用紙Ｐｅ及び上記各ラミネート用紙Ｐａ〜Ｐｄと異なっている。ここで第一輪郭線Ｆｅｏ'は、切断部と非切断部とが交互に連続するミシン目を採用することができ、特に切断部と非切断部との繰り返しピッチを極めて小さくしたマイクロミシン目を採用することが望ましい。このように第一輪郭線Ｆｅｏ'にマイクロミシン目を適用した場合には、ラベル紙Ｌｅ'及び剥離紙Ｈｅ'の材質が紙であるために第一輪郭線Ｆｅｏ'に沿って完全に切断されるが、フィルムＦｅ'は樹脂素材であるために切断部と非切断部とが明確に残存し、各フィルム区分Ｆｅ１'，Ｆｅ２'が非切断部においてフィルムＦｅ'の他の領域と繋がっていることとなる。また、このラミネート用紙Ｐｅ'においては、隣接する第一フィルム区分Ｆｅ１'，第一ラベル区分Ｌｅ１'，第一剥離区分Ｈｅ１'の組同士、及び隣接する第二フィルム区分Ｆｅ２'，第二ラベル区分Ｌｅ２'，第二剥離区分Ｈｅ２'の組同士の間にも、例えばマイクロミシン目のようなミシン目からなる切取線Ｐｅｍ'を形成している。さらに、隣接する第一フィルム区分Ｆｅ１'，第一ラベル区分Ｌｅ１'，第一剥離区分Ｈｅ１'の組と第二フィルム区分Ｆｅ２'，第二ラベル区分Ｌｅ２'，第二剥離区分Ｈｅ２'の組との中間位置には、折り曲げ線Ｐｅｎ'を形成している。本例の場合、切取線Ｐｅｍ'はラミネート用紙Ｐｅ'の短辺と平行に設けられ、折り曲げ線Ｐｅｎ'は長辺と平行に設けられることとなる。
【００５３】
このようなラミネート用紙Ｐｅ'からラミネートカードを作成する手順は、次のようになる。まず、ラベル紙Ｌｅ'の各ラベル区分Ｌｅ１'，Ｌｅ２'に所要事項を印刷又は筆記した後、第一ラベル区分Ｌｅ１'と第一剥離区分Ｈｅ１'、及び第二ラベル区分Ｌｅ２'と第二剥離区分Ｈｅ２'をそれぞれラミネート用紙Ｐｅ'から剥がし、それらを裏返しにして先に剥がすことによって形成された開口部（図示省略）へ嵌め戻す。次に、ラベル紙Ｌｅ'及び剥離紙Ｈｅ'において第一輪郭線Ｆｅｏ'と第二輪郭線Ｌｅｏ'とに囲まれた「ロ」字形の領域（同図で網掛けを付した領域）を剥がし取る。このようにすることで、当該「ロ」字形の領域におけるフィルムＦｅ'の第一粘着剤層Ｆｅｘ'が露出することになる。そして、切取線Ｐｅｍ'に沿って、フィルムＦｅ'、ラベル紙Ｌｅ'及び剥離紙Ｈｅ'のうち各フィルム区分Ｆｅ１'，Ｆｅ２'、各ラベル区分Ｌｅ１'，Ｌｅ２'及び各剥離区分Ｈｅ１'，Ｈｅ２'を含む領域を切り取り、その切り取って得られた長方形状の紙片を折り曲げ線Ｐｅｎ'に沿って谷折りにして、前記「ロ」字形の領域において露出した第一粘着剤層Ｆｅｘ'同士を貼り合わせる。このようにすることで、各ラベル区分Ｌｅ１'，Ｌｅ２'の記入面Ｌｅｚ'が対応する各フィルム区分Ｆｅ１'，Ｆｅ２'に密着された状態で、各フィルム区分Ｆｅ１'，Ｆｅ２'、各ラベル区分Ｌｅ１'，Ｌｅ２'及び各剥離区分Ｈｅ１'，Ｈｅ２'が重合された形態となる。最後に、この重合されたものを第一輪郭線Ｆｅｏ'に沿って、先に切り取った紙片から離脱させることで、図３に示したラミネートカードＣａと同様のものが得られる。
【００５４】
なお、前記折り曲げ線Ｐｅｎ'に沿った折り曲げ工程の前に、各剥離区分Ｈｅ１'，Ｈｅ２'を各ラベル区分Ｌｅ１'，Ｌｅ２'から剥がし取り、各ラベル区分Ｌｅ１'，Ｌｅ２'における第二粘着剤層Ｌｅｘ'を露出させておけば、フィルム区分Ｆｅ１'，Ｌｅ２'同士に加えて、ラベル区分Ｌｅ１'，Ｌｅ２'同士をも貼り合わせることができる。また、「ロ」字形の領域を剥がし取る工程と、切取線Ｐｅｍ'に沿って切り取る工程とは、順序を逆にすることもできる。さらにまた、一枚のラミネート用紙Ｐｅ'に設けられた全てのラベル区分Ｌｅ１'…，Ｌｅ２'…の記入面Ｌｅｚ'に印刷又は筆記を施しておき、一挙に複数のラミネートカードを作成する場合には、切取線Ｐｅｍ'に沿った切り取り工程を省略し、折り曲げ線Ｐｅｎ'に沿って折り曲げたラミネート用紙Ｐｅ'から複数のラミネートカードを離脱させてもよい。さらにこのラミネート用紙Ｐｅ'を用いた場合であっても、図８に示したラミネート用紙Ｐｅと同様の手順でラミネートカードを作成することができるのはいうまでもない。
【００５５】
一方、フィルム、剥離紙、及びラベル紙からなる三層状のラミネート用紙における第一フィルム区分の平面視寸法を、第一ラベル区分及び第一剥離区分の平面視寸法と略同一に設定し、且つ第一フィルム区分と第一ラベル区分と第一剥離区分、及び第二フィルム区分と第二ラベル区分と第二剥離区分を、それぞれ同一箇所に重合するように設定したラミネート用紙からラミネートカードを作成してもよい。
【００５６】
その一例として、例えば図１０（同図（ａ）はラミネート用紙Ｐｇをラベル紙Ｌｇ側から見た平面図であり、同図（ｂ）は（ａ）のＢ−Ｂ線端面図である。）に示すラミネート用紙Ｐｇは、フィルムＦｇの一方の面に第一粘着剤層Ｆｇｘを形成している点、ラベル紙Ｌｇの一方の面を記入面Ｌｇｚとし他方の面に第二粘着剤層Ｌｇｘを形成している点、剥離紙ＨｇのフィルムＦｇの第一粘着剤層Ｆｇｘ側を向く面に第一剥離処理層Ｈｇｕを形成するとともに、ラベル紙Ｌｇの第二粘着剤層Ｌｇｘ側を向く面に第二剥離処理層Ｈｇｖを形成して点等、基本的な構成は前記図１等に示すラミネート用紙Ｐａと略同様である。また、前記フィルムＦｇに抜き加工用の第一輪郭線Ｆｇｏを形成し、単一の第一輪郭線Ｆｇｏにより包囲されるフィルムＦｇ上の領域に、互いに略等しい平面視寸法を有する第一フィルム区分Ｆｇ１及び第二フィルム区分Ｆｇ２を、これら第一フィルム区分Ｆｇ１と第二フィルム区分Ｆｇ２とを区分けする第一折り曲げ線Ｆｇ３を挟んで一体に形成している点、及び、前記ラベル紙Ｌｇと前記剥離紙Ｈｇには、共通の抜き加工用の第二輪郭線Ｌｇｏを形成し、単一の第二輪郭線Ｌｇｏにより包囲されるラベル紙Ｌｇ及び剥離紙Ｈｇ上の領域に互いに略等しい平面寸法を有する第一ラベル区分Ｌｇ１及び第二ラベル区分Ｌｇ２、並びに第一剥離区分Ｈｇ１及び第二剥離区分Ｈｇ２を、第一ラベル区分Ｌｇ１と第二ラベル区分Ｌｇ２とを区分けし且つ第一剥離区分Ｈｇ１と第二剥離区分Ｈｇ２とを区分けする第二折り曲げ線Ｌｇ３を挟んで一体に形成している点も前記図１に示すものと同様であるが、第一輪郭線Ｆｇｏと第二輪郭線Ｌｇｏ、及び第一折り曲げ線Ｆｇ３と第二折り曲げ線Ｌｇ３とをそれぞれ重層方向において同一直線上に位置付けている点において異なる。
【００５７】
このようなラミネート用紙ＰｇからラミネートカードＣｇを形成する方法は、前述した方法と略同様であるが、決定的な違いは、各フィルム区分Ｆｇ１，Ｆｇ２が各ラベル区分Ｌｇ１，Ｌｇ２と略同じ平面視寸法を有するため、各フィルムＦｇの第一粘着剤層Ｆｇｘ同士を接着させることができない点である。したがって、このようなラミネート用紙Ｐｇから一のラミネートカードＣｇを作成するためには、第一剥離区分Ｈｇ１及び第二剥離区分Ｈｇ２をそれぞれ第一ラベル区分Ｌｇ１及び第二ラベル区分Ｌｇ２から剥がす必要がある。その結果、当該ラミネート用紙Ｐｇから形成したラミネートカードＣｇは、各剥離区分Ｈｇ１，Ｈｇ２を剥がすことによって第二粘着剤層Ｌｇｘを表出させてなる第一ラベル区分Ｌｇ１と第二ラベル区分Ｌｇ２とを、互いの記入面Ｌｇｚをそれぞれ外側に向けた状態で重ね合わせるととともに、対面する第一ラベル区分Ｌｇ１と第二ラベル区分Ｌｇ２の第二粘着剤層Ｌｇｘ同士を貼り合わせた構成を有するものとなる（図１１参照、同図（ａ）は一方の面から見たラミネートカードＣｇであり、同図（ｂ）は他方の面から見たラミネートカードＣｇである）。このようなものであっても、簡単な作業により一のラミネートカードＣｇを形成することができ、各ラベル区分Ｌｇ１，Ｌｇ２及び各ラベル区分Ｌｇ１，Ｌｇ２をそれぞれラミネートする各フィルム区分Ｆｇ１，Ｆｇ２によって記憶媒体Ｃ１を好適に保護することはできる等、上述した効果と略同様の効果を得ることができる。
【００５８】
また、図１２に示すように、第一フィルム区分Ｆｉ１の平面視寸法を、第一ラベル区分Ｌｉ１及び第一剥離区分Ｈｉ１の平面視寸法と略同一に設定し、且つ第一フィルム区分Ｆｉ１と第一ラベル区分Ｌｉ１と第一剥離区分Ｈｉ１、及び第二フィルム区分Ｆｉ２と第二ラベル区分Ｌｉ２と第二剥離区分Ｈ２を、それぞれ同一箇所に重合するように設定する条件の下、第一フィルム区分Ｆｉ１、第一ラベル区分Ｌｉ１及び第一剥離区分Ｈｉ１の組と、第二フィルム区分Ｆｉ２、第二ラベル区分Ｌｉ２及び第二剥離区分Ｈｉ２の組とを、所定距離離間させて配置したラミネート用紙Ｐｉからラミネートカード（図示省略）を作成してもよい。
【００５９】
このようなラミネート用紙Ｐｉを採用した場合、各ラベル区分Ｌｉ１，Ｌｉ２への印刷又は筆記の後、第一ラベル区分Ｌｉ１と第二ラベル区分Ｌｉ２とをそれぞれ別個に取り扱うこととなり、裏返した第一ラベル区分Ｌｉ１及び第一剥離区分Ｈｉ１と、第二ラベル区分Ｌｉ２及び第二剥離区分Ｈｉ２を、それぞれ個別に前記第二輪郭線Ｌｉｏによって形成される各開口部（図示省略）に嵌め込み、対応する各フィルム区分Ｆｉ１，Ｆｉ２と一体にラミネート用紙Ｐｉから離脱させることができる。このようなラミネート用紙Ｐｉからラミネートカードを作成する方法は、図８に示すラミネート用紙Ｐｅからラミネートカードを作成する方法と略同じであるが、前記図１０に示すものと同様に、第一剥離区分Ｈｉ１及び第二剥離区分Ｈｉ２をそれぞれ第一ラベル区分Ｌｉ１及び第二ラベル区分Ｌｉ２から剥がす必要がある点で異なる。なお、同図においては、ラミネート用紙Ｐｉにおける第一ラベル区分Ｌｉ１及び第一剥離区分Ｈｉ１と第二ラベル区分Ｌｉ２及び第二剥離区分Ｈｉ２との位置関係を、ラミネート用紙Ｐｉの短辺方向に隣り合うように設定しているが、これに限らず、例えばラミネート用紙Ｐｉの長辺方向に隣り合うように設定してもよく、あるいはこれら以外の位置関係に設定しても構わない。つまり、第一ラベル区分Ｌｉ１及び第一剥離区分Ｈｉ１と対になる第二ラベル区分Ｌｉ２及び第二剥離区分Ｈｉ２は、当該第一ラベル区分Ｌｉ１及び第一剥離区分Ｈｉ１を包囲する第二輪郭線Ｌｉｏとは異なる他の第二輪郭線Ｌｉｏに包囲されてなる領域に形成したラベル区分及び剥離区分であれば両者の位置関係は特に問わない。そして、作成されるラミネートカードは、図１１に示したものと略同様の形態となる。
【００６０】
なお、本発明のラミネート用紙、及びそれから作成されるラミネートカードは、上述した各種のものに限定されるものではない。例えば、ラミネート用紙自体の大きさや形状、各フィルム区分、ラベル区分、剥離区分の大きさや形状等の具体的構成は、本発明の趣旨を逸脱しない限り任意である。また、本発明に係るラミネート用紙から作成されるラミネートカードの応用例として、ラミネートカードの作成工程において、例えば重合させる第一ラベル区分と第二ラベル区分との間、若しくは第一剥離区分と第二剥離区分との間に所謂ＩＣチップやＲＦＩＤチップ（ＩＣタグ）を挟み込んでおけば、入退室管理用等のＩＤカードや荷札等の物品管理カード、遊園地等における一定期間限りの入退場カードを作成することができる。また、第一ラベル区分と第一フィルム区分との間、若しくは第二ラベル区分と第二フィルム区分との間に他の物品を挟持させた状態でラベル区分とフィルム区分とを貼り合わせることで、記入面への印刷や筆記の代替とすることができる。この他の物品には薄手の物が適しており、例えば生花を適用すれば、押し花入りのラミネートカードを作成することができる。
【図面の簡単な説明】
【００６１】
【図１】本発明の一実施形態に係るラミネート用紙を示す図。
【図２】同実施形態におけるラミネート用紙からラミネートカードを作成する工程の説明図。
【図３】同ラミネートカードを示す全体図。
【図４】同実施形態におけるラミネート用紙の一変形例を示す図。
【図５】同ラミネート用紙から作成されるラミネートカードを示す全体図。
【図６】同実施形態におけるラミネート用紙の一変形例を示す図。
【図７】同実施形態におけるラミネート用紙の一変形例を示す図。
【図８】同実施形態におけるラミネート用紙の一変形例を示す図。
【図９】図８に示すラミネート用紙の一変形例を示す図。
【図１０】同実施形態におけるラミネート用紙の一変形例を示す図。
【図１１】同ラミネート用紙から作成されるラミネートカードを示す全体図。
【図１２】同実施形態におけるラミネート用紙の一変形例を示す図。
【符号の説明】
【００６２】
Ｃａ、Ｃｂ、Ｃｇ…ラミネートカード
Ｐａ、Ｐｂ、Ｐｃ、Ｐｄ、Ｐｅ、Ｐｅ'、Ｐｇ、Ｐｉ…ラミネート用紙
Ｆａ、Ｆｂ、Ｆｃ、Ｆｄ、Ｆｅ、Ｆｅ'、Ｆｇ、Ｆｉ…フィルム
Ｆａ１、Ｆｂ１、Ｆｃ１、Ｆｄ１、Ｆｅ１、Ｆｅ１'、Ｆｇ１、Ｆｉ１…第一フィルム区分
Ｆａ２、Ｆｂ２、Ｆｃ２、Ｆｄ２、Ｆｅ２、Ｆｅ２'、Ｆｇ２、Ｆｉ２…第二フィルム区分
Ｆａ３、Ｆｂ３、Ｆｄ３、Ｆｇ３…第一折り曲げ線
Ｆａｏ、Ｆｂｏ、Ｆｃｏ、Ｆｄｏ、Ｆｅｏ、Ｆｅｏ'、Ｆｇｏ、Ｆｉｏ…第一輪郭線
Ｆａｘ、Ｆｅｘ'、Ｆｇｘ…第一粘着剤層
Ｌａ、Ｌｂ、Ｌｃ、Ｌｄ、Ｌｅ、Ｌｅ'、Ｌｇ、Ｌｉ…ラベル紙
Ｌａ１、Ｌｂ１、Ｌｃ１、Ｌｄ１、Ｌｅ１、Ｌｅ１'、Ｌｇ１、Ｌｉ１…第一ラベル区分
Ｌａ２、Ｌｂ２、Ｌｃ２、Ｌｄ２、Ｌｅ２、Ｌｅ２'、Ｌｇ２、Ｌｉ２…第二ラベル区分
Ｌａ３、Ｌｂ３、Ｌｃ３、Ｌｄ３、Ｌｇ３…第二折り曲げ線
Ｌａｏ、Ｌｂｏ、Ｌｃｏ、Ｌｄｏ、Ｌｅｏ、Ｌｅｏ'、Ｌｇｏ、Ｌｉｏ…第二輪郭線
Ｌａｚ、Ｌｂｚ、Ｌｃｚ、Ｌｄｚ、Ｌｅｚ、Ｌｅｚ'、Ｌｇｚ、Ｌｉｚ…記入面
Ｌａｘ、Ｌｅｘ'、Ｌｇｘ…第二粘着剤層
Ｌａｓ…開口部
Ｈａ、Ｈｂ、Ｈｃ、Ｈｄ、Ｈｅ、Ｈｅ'、Ｈｇ、Ｈｉ…剥離紙
Ｈａ１、Ｈｂ１、Ｈｃ１、Ｈｄ１、Ｈｅ１、Ｈｅ１'、Ｈｇ１、Ｈｉ１…第一剥離区分
Ｈａ２、Ｈｂ２、Ｈｃ２、Ｈｄ２、Ｈｅ２、Ｈｅ２'、Ｈｇ２、Ｈｉ２…第二剥離区分
Ｈａｕ、Ｈｅｕ'、Ｈｇｕ…第一剥離処理層
Ｈａｖ、Ｈｅｖ'、Ｈｇｖ…第二剥離処理層
【図１】
2006076152.tif 000003
【図２】
2006076152.tif 000004
【図３】
2006076152.tif 000005
【図４】
2006076152.tif 000006
【図５】
2006076152.tif 000007
【図６】
2006076152.tif 000008
【図７】
2006076152.tif 000009
【図８】
2006076152.tif 000010
【図９】
2006076152.tif 000011
【図１０】
2006076152.tif 000012
【図１１】
2006076152.tif 000013
【図１２】
2006076152.tif 000014